(57)【要約】【課題】圧縮機の冷凍能力に対する収容庫の負荷が小さい場合に圧縮機の起動時のような過渡状態での運転周波数が過大となることを抑制し、さらに通常運転時における圧縮機の運転周波数を低く抑えることにより、省エネルギー化を図ることができる冷却装置を提供すること。【解決手段】収容庫１０の内部温度に基づいて電磁弁１４を開閉させ、蒸発器１２に対する冷媒の供給制御を行うことにより該収容庫１０を所望の温度状態とする冷却装置において、設定された運転周波数（回転数）に従って蒸発器１２から吐出された冷媒の圧縮を行う圧縮機１６と、現在の運転状態に係る状態量を検出することによって圧縮機１６の冷凍能力に対する収容庫１０の負荷が小さいと判断した場合に、設定された圧縮機１６の次のサイクルにおける運転周波数上限値を前のサイクルの運転周波数上限値よりも小さい値を上限値として補正するメインコントローラ３０とを備えている。【選択図】        図１
2008185250.tif 000002
【特許請求の範囲】
【請求項１】
収容庫の内部温度に基づいて電磁弁を開閉させ、前記収容庫に配設した蒸発器に対する冷媒の供給制御を行うことにより該収容庫を所望の温度状態とする冷却装置において、
設定された運転周波数に従って蒸発器から吐出された冷媒の圧縮を行う圧縮機と、
現在の運転状態に係る状態量を検出することによって圧縮機の冷凍能力に対する収容庫の負荷が小さいと判断した場合に、設定された圧縮機の次のサイクルにおける運転周波数上限値を前のサイクルの運転周波数上限値よりも小さい値を上限値として補正する補正手段と
を備えたことを特徴とする冷却装置。
【請求項２】
前記補正手段は、前記電磁弁の開成および閉成に応じて駆動および駆動停止する前記圧縮機の運転周期が予め設定された基準周期よりも小さい場合に、圧縮機の冷凍能力に対する収容庫の負荷が小さいと判断して前記上限値に補正することを特徴とする請求項１に記載の冷却装置。
【請求項３】
前記補正手段は、前記収容庫が設置されている室の内部および外部の少なくとも一つのエンタルピを検出し、検出したエンタルピが予め設定された基準情報に該当する場合に、圧縮機の冷凍能力に対する収容庫の負荷が小さいものとして前記基準情報に含まれる上限値に補正することを特徴とする請求項１に記載の冷却装置。
【請求項４】
前記補正手段は、前記収容庫が設置されている室の内部および外部の少なくとも一つの温度を検出し、検出した温度が予め設定された基準情報に該当する場合に、圧縮機の冷凍能力に対する収容庫の負荷が小さいものとして前記基準情報に含まれる上限値に補正することを特徴とする請求項１に記載の冷却装置。
【発明の詳細な説明】
【技術分野】
【０００１】
本発明は、冷却装置に関し、より詳細には、収容庫の内部温度に基づいて電磁弁を開閉させ、収容庫に配設した蒸発器に対する冷媒の供給制御を行うことにより該収容庫を所望の温度状態とする冷却装置に関するものである。
【背景技術】
【０００２】
例えば、商品を冷却した状態で陳列販売するショーケースでは、収容庫の内部に蒸発器が設けられ、また収容庫の外部に圧縮機、凝縮器、電磁弁および温度膨張弁が設けられており、これら蒸発器、圧縮機、凝縮器、電磁弁および温度膨張弁を配管にて順次接続することにより、封入された冷媒を循環させる冷却装置が構成されている。
【０００３】
このような冷却装置では、収容庫の内部温度に基づいて電磁弁をオン・オフ制御して開閉させ、収容庫に配設した蒸発器に対する冷媒の供給制御を行うことにより該収容庫を所望の温度状態となるようにしている。また、圧縮機の運転は、演算された吸入冷媒圧力値（設定値）と、実際に測定された吸入冷媒の圧力測定値との偏差に基づいて次の駆動時、すなわち一旦駆動停止した後の駆動時の回転数（運転周波数）が制御されることにより行われており、しかも全ての電磁弁がオフ制御、すなわち閉成した場合に駆動停止するようになっている（例えば、特許文献１参照）。
【０００４】
【特許文献１】特許第３６０３４９７号公報
【発明の開示】
【発明が解決しようとする課題】
【０００５】
ところで、上述したような冷却装置では、設定値である吸入冷媒圧力値と、圧力測定値との偏差に基づいて次の駆動時の回転数が制御されて圧縮機の運転が行われているものの、例えば、圧縮機の駆動および駆動停止の周期、すなわち圧縮機の運転周期が極端に短いショートサイクル運転が発生した場合等の圧縮機の冷凍能力に対するショーケース（収容庫）の負荷が小さいときであっても、圧縮機の起動時のような過渡状態では回転数（運転周波数）が依然として高くなってしまう虞れがあった。
【０００６】
本発明は、上記実情に鑑みて、圧縮機の冷凍能力に対する収容庫の負荷が小さい場合に圧縮機の起動時のような過渡状態での運転周波数が過大となることを抑制し、さらに通常運転時における圧縮機の運転周波数を低く抑えることにより、省エネルギー化を図ることができる冷却装置を提供することをと目的とする。
【課題を解決するための手段】
【０００７】
上記目的を達成するため、本発明の請求項１に係る冷却装置は、収容庫の内部温度に基づいて電磁弁を開閉させ、前記収容庫に配設した蒸発器に対する冷媒の供給制御を行うことにより該収容庫を所望の温度状態とする冷却装置において、設定された運転周波数に従って蒸発器から吐出された冷媒の圧縮を行う圧縮機と、現在の運転状態に係る状態量を検出することによって圧縮機の冷凍能力に対する収容庫の負荷が小さいと判断した場合に、設定された圧縮機の次のサイクルにおける運転周波数上限値を前のサイクルの運転周波数上限値よりも小さい値を上限値として補正する補正手段とを備えたことを特徴とする。
【０００８】
また、本発明の請求項２に係る冷却装置は、上述した請求項１において、前記補正手段は、前記電磁弁の開成および閉成に応じて駆動および駆動停止する前記圧縮機の運転周期が予め設定された基準周期よりも小さい場合に、圧縮機の冷凍能力に対する収容庫の負荷が小さいと判断して前記上限値に補正することを特徴とする。
【０００９】
また、本発明の請求項３に係る冷却装置は、上述した請求項１において、前記補正手段は、前記収容庫が設置されている室の内部および外部の少なくとも一つのエンタルピを検出し、検出したエンタルピが予め設定された基準情報に該当する場合に、圧縮機の冷凍能力に対する収容庫の負荷が小さいものとして前記基準情報に含まれる上限値に補正することを特徴とする。
【００１０】
また、本発明の請求項４に係る冷却装置は、上述した請求項１において、前記補正手段は、前記収容庫が設置されている室の内部および外部の少なくとも一つの温度を検出し、検出した温度が予め設定された基準情報に該当する場合に、圧縮機の冷凍能力に対する収容庫の負荷が小さいものとして前記基準情報に含まれる上限値に補正することを特徴とする。
【発明の効果】
【００１１】
本発明によれば、圧縮機が設定された運転周波数に従って蒸発器から吐出された冷媒の圧縮を行い、補正手段が、現在の運転状態に係る状態量を検出することによって圧縮機の冷凍能力に対する収容庫の負荷が小さいと判断した場合に、設定された圧縮機の次のサイクルにおける運転周波数上限値を前のサイクルの運転周波数上限値よりも小さい値を上限値として補正するので、圧縮機の冷凍能力に対する収容庫の負荷が小さい場合に圧縮機の起動時のような過渡状態での運転周波数が過大となることを抑制し、さらに通常運転時における圧縮機の運転周波数を低く抑えることにより、省エネルギー化を図ることができるという効果を奏する。
【発明を実施するための最良の形態】
【００１２】
以下、添付図面を適宜参照しながら本発明に係る冷却装置の好適な実施の形態について詳細に説明する。
【００１３】
＜実施の形態１＞
図１は、本発明の実施の形態１である冷却装置の構成を概念的に示した概念図である。ここで例示する冷却装置は、収容庫１０の内部に収納した商品を冷却した状態で陳列販売するオープンショーケース１１に適用するもので、複数のオープンショーケース１１にそれぞれ蒸発器１２、温度膨張弁１３および電磁弁１４を個別に備える一方、オープンショーケース１１の外部に冷凍機を構成する凝縮器１５および圧縮機１６をそれぞれ１つずつ備えている。
【００１４】
温度膨張弁１３は、凝縮器１５から吐出された液冷媒を断熱膨張して蒸発器１２に供給するためのものである。本実施の形態１では、蒸発器１２の出口側の冷媒温度と、蒸発器１２の入口側の冷媒温度との差として定義される過熱度に基づき開度を変更し、通過する冷媒の流量を調節することのできる温度膨張弁１３を適用している。より具体的には、温度膨張弁１３は、過熱度が大きい場合には開度が大きくなる一方、過熱度が小さい場合には開度が小さくなるものである。
【００１５】
電磁弁１４は、温度膨張弁１３の上流域に配設してあり、後述するショーケースコントローラ２０から指令が与えられることによりオン・オフ制御されて、すなわち開閉動作して凝縮器１５から温度膨張弁１３への冷媒の供給を遮断または許容するものである。
【００１６】
圧縮機１６は、蒸発器１２から吐出された低温低圧のガス冷媒を圧縮して高温高圧のガス冷媒として凝縮器１５に与えるためのものである。本実施の形態１では、後述するメインコントローラ３０から指令が与えられることにより吸入圧力を変更することのできるインバータ圧縮機を適用している。
【００１７】
この冷却装置では、凝縮器１５および圧縮機１６に対してそれぞれのオープンショーケース１１に設けた蒸発器１２、温度膨張弁１３および電磁弁１４が並列となる態様で冷媒供給管路１７で接続することにより冷凍サイクルが構成してある。すなわち、この冷却装置では、圧縮機１６から吐出された高温高圧のガス冷媒が凝縮器１５において凝縮して（放熱して）高温高圧の液冷媒となる。この高温高圧の液冷媒は、各収容庫１０の温度膨張弁１３に電磁弁１４を介して分岐供給され、断熱膨張されて低温低圧の気液２相冷媒となって収容庫１０の蒸発器１２に供給される。蒸発器１２に供給された低温低圧の気液２相冷媒は、送風ファン（図示せず）によって供給された収容庫１０の内部空気と熱交換し、蒸発して（吸熱して）低温低圧のガス冷媒となることにより収容庫１０の冷却を行う。蒸発器１２を経た低温低圧のガス冷媒は、オープンショーケース１１の外部において合流し、圧縮機１６に吸入される。ここで、蒸発器１２は、収容庫１０を冷却するために冷媒を流し続けると、霜が付着して熱交換が阻害されるため、ある一定時間（例えば６時間）おきに電磁弁１４を閉じて霜を融かす除霜運転をしている。霜が融けたと判断したら電磁弁１４を開いて、通常運転に移行して冷媒を流し、収容庫１０の冷却を行う。この除霜運転の開始から、次の除霜運転の開始までを１サイクルとしている。
【００１８】
個々のオープンショーケース１１において、収容庫１０の内部であり、かつ蒸発器１２を通過した空気が吹き出される個所には、内部温度センサ１８が設けてある。内部温度センサ１８は、収容庫１０の内部温度を検出するものである。本実施の形態１では、蒸発器１２を通過して冷却され、収容庫１０の内部に吹き出される空気（以下、吹出空気ともいう）の温度を内部温度して検出するものを適用している。このように吹出空気の温度を内部温度として検出することにより、収容庫１０の内部に収納される商品の多寡による影響を受けにくいこと、冷凍サイクルにおける冷媒の流れの制御に基づく温度変化が最も先行して現れること等々の利点がある。ここで、内部温度は、吹出空気の温度ではなく、収容庫１０の内部に設けられる庫内温度センサにより検出される温度としても構わないし、あるいは収容庫１０の内部の背面に設けられる背面温度センサや吸込口に設けられている吸込温度センサ、吹出口に設けられている吹出温度センサ等から求めた平均空気温度（庫内温度）としても構わない。
【００１９】
図２および図３は、それぞれ本発明の実施の形態１における冷却装置の制御系を示すブロック図である。これら図２および図３にも示すように、冷却装置は、その制御系としてショーケースコントローラ２０およびメインコントローラ３０を備えている。図１からも明らかなように、本実施の形態１では、それぞれのオープンショーケース１１に個別のショーケースコントローラ２０が設けてある一方、複数のオープンショーケース１１で共通となる唯一のメインコントローラ３０が設けてある。
【００２０】
ショーケースコントローラ２０は、内部温度センサ１８の検出した収容庫１０の内部温度（吹出温度）に基づいて電磁弁１４をオン・オフ制御して開閉させるもので、目標値設定記憶部２１と電磁弁駆動処理部２２とを備えている。
【００２１】
目標値設定記憶部２１は、収容庫１０の目標温度を予め設定し、かつこれを記憶するものである。本実施の形態１では、収容庫１０の目標温度としてその上限値および下限値がそれぞれ設定してある。電磁弁駆動処理部２２は、それぞれの内部温度センサ１８の検出結果と、収容庫１０の目標温度との比較結果に基づいて各電磁弁１４をオン・オフ制御、すなわち開成または閉成を設定するものである。
【００２２】
またショーケースコントローラ２０は、メインコントローラ３０との間で通信可能となっており、電磁弁１４のオン・オフ（開閉）に関する電磁弁運転信号をメインコントローラ３０に与えるものである。
【００２３】
メインコントローラ３０は、冷却装置の動作を統括的に制御するものであり、特に冷凍機（圧縮機１６）の動作を制御するものである。このようなメインコントローラ３０は、本発明に特に関連するものとして、回転数調節手段３１と回転数補正手段３２とを備えている。これら回転数調節手段３１と回転数補正手段３２とは相互に通信可能なものである。
【００２４】
回転数調節手段３１は、圧縮機１６の回転数（運転周波数）を調節するためのものであり、電磁弁運転率演算部３１１、圧力設定値演算部３１２および回転数設定部３１３を備えて構成してある。
【００２５】
電磁弁運転率演算部３１１は、一定時間毎にその前の一定時間に対する各電磁弁１４のオン時間（開成時間）の割合である電磁弁運転率を演算するものである。ここで、一定時間とは、除霜運転が開始してから、次の除霜運転が開始されるまでの１サイクルの時間を意味している。
【００２６】
圧力設定値演算部３１２は、電磁弁運転率演算部３１１を通じて演算された電磁弁運転率に基づいて上記圧縮機１６の吸入冷媒圧力に対する次の一定時間に係る圧力設定値を演算（更新）するものである。より詳細には、図４に示すようなデータに従い圧力設定値を演算する。ここで、図４に示すデータは、圧力設定値を演算するための経験則であり、これにより圧力設定値演算部３１２は、（１）少なくとも１台の電磁弁１４の電磁弁運転率が９０％以上なら冷凍能力が不足と判断して、圧力設定値を例えば０．０１ＭＰａだけ下げ（更新し）て冷凍能力を増加させる、（２）全ての電磁弁１４の電磁弁運転率が４０〜９０％なら冷凍能力は適当と判断して、圧力設定値をそのまま維持する、（３）全ての電磁弁１４の電磁弁運転率が９０％以下で、かつ少なくとも１台の電磁弁１４の電磁弁運転率が４０％以下なら冷凍能力が過剰と判断して、圧力設定値を例えば０．０１ＭＰａだけ上げ（更新し）て、冷凍能力を減少させるようにしている。
【００２７】
回転数設定部３１３は、圧力設定値演算部３１２を通じて演算された圧力設定値と、圧力センサ１９により検出された吸入冷媒の圧力値（圧力測定値）との偏差に基づいて、圧縮機１６に対して次の一定時間、すなわち次の駆動時における回転数を設定するものである。ここで、圧力センサ１９は、図１に示すように、圧縮機１６の吸入側に配設してあり、圧縮機１６の吸入冷媒の圧力を検出するものである。この圧力センサ１９は、検出した圧力値（圧力測定値）を検出信号としてメインコントローラ３０に与えるものである。
【００２８】
また、回転数設定部３１３は、上記回転数の設定とは別個に、全ての電磁弁１４がオフとなった場合（閉成した場合）には圧縮機１６に対して駆動停止指令を出力する一方、少なくとも１つの電磁弁１４がオンとなった場合（開成した場合）には圧縮機１６に対して設定した回転数で駆動指令を出力するものである。このように回転数設定部３１３より駆動停止指令および駆動指令が与えられた圧縮機１６は、駆動停止および駆動を行うことになる。この回転数設定部３１３で設定された回転数や出力された各指令については、回転数補正手段３２に与えられることになる。
【００２９】
回転数補正手段３２は、圧縮機１６の回転数（運転周波数）を補正するためのものであり、圧縮機運転周期演算部３２１、状態判定部３２２、情報記憶部３２３および回転数補正処理部３２４を備えて構成してある。
【００３０】
圧縮機運転周期演算部３２１は、回転数調節手段３１を構成する回転数設定部３１３が与える駆動指令および駆動停止指令に基づいて、圧縮機１６の運転周期（オン・オフ周期）を演算するものである。
【００３１】
状態判定部３２２は、圧縮機運転周期演算部３２１を通じて演算された圧縮機１６の運転周期と、情報記憶部３２３に記憶されている基準周期とを比較して、圧縮機１６の冷凍能力に対する収容庫１０の負荷が小さいか否かを判定するものである。
【００３２】
情報記憶部３２３は、種々の情報を記憶するためのものであり、上記状態判定部３２２の判定基準となる基準周期（例えば５分等）に関する情報や、回転数補正処理部３２４を通じて補正処理を行う際に必要となる補正情報を記憶するものである。
【００３３】
回転数補正処理部３２４は、状態判定部３２２を通じて圧縮機１６の冷凍能力に対する収容庫１０の負荷が小さいものと判定された場合に、情報記憶部３２３に記憶されている補正情報に基づき、上記回転数設定部３１３で設定された回転数を補正するものである。より詳細には、回転数設定部３１３で設定された圧縮機１６の次のサイクルにおける運転周波数上限値を前のサイクルの運転周波数上限値よりも小さい値を上限値として補正するものである。補正された回転数に関する情報は、回転数調節手段３１に与えられる。この場合、回転数設定部３１３は、当該回転数補正処理部３２４により補正された回転数で次の駆動時に圧縮機１６に駆動指令を出力することになる。
【００３４】
図５は、図１および図２に示したショーケースコントローラが実施する電磁弁制御処理の内容を示すフローチャートである。以下、この図５を参照しながら、冷却装置の動作について説明する。
【００３５】
まず、図５に示す電磁弁制御処理においてショーケースコントローラ２０は、内部温度センサ１８を通じてそれぞれのオープンショーケース１１における収容庫１０の内部温度を検出し（ステップＳ１０１）、検出した内部温度が目標値設定記憶部２１に記憶された目標温度の上限値を超えているか否かを判断する（ステップＳ１０２）。
【００３６】
いずれかのオープンショーケース１１において収容庫１０の内部温度が目標温度上限値を超えている場合（ステップＳ１０２：ＹＥＳ）、ショーケースコントローラ２０は、該当するオープンショーケース１１の電磁弁１４をオン制御して（開動作させて）温度膨張弁１３（蒸発器１２）に対して冷媒の供給を許容し（ステップＳ１０３）、その後に手順をリターンさせる。この結果、該当するオープンショーケース１１の収容庫１０が冷却され、その内部温度が目標温度上限値以下となるように推移することになる。
【００３７】
ステップＳ１０２において、いずれかのオープンショーケース１１においても収容庫１０の内部温度が目標温度上限値以下であった場合（ステップＳ１０２：ＮＯ）、ショーケースコントローラ２０は、次いでいずれかのオープンショーケース１１において収容庫１０の内部温度が目標値設定記憶部２１に記憶された目標温度の下限値を下回っているか否かを判断する（ステップＳ１０４）。
【００３８】
いずれかのオープンショーケース１１において収容庫１０の内部温度が目標温度下限値を下回っている場合（ステップＳ１０４：ＮＯ）、ショーケースコントローラ２０は、該当するオープンショーケース１１の電磁弁１４をオフ制御して（閉動作させて）温度膨張弁１３（蒸発器１２）に対する冷媒の供給を停止させ（ステップＳ１０５）、その後に手順をリターンさせる。この結果、該当するオープンショーケース１１において収容庫１０の内部空気と蒸発器１２との間の熱交換が抑制され、その内部温度が目標温度下限値以上となるように推移することになる。
【００３９】
ステップＳ１０４においていずれかのオープンショーケース１１においても収容庫１０の内部温度が目標温度下限値以上であった場合（ステップＳ１０４：ＮＯ）、つまり収容庫１０の内部温度が目標温度上限値以下、かつ目標温度下限値以上（以下、「目標温度範囲」という）である場合、ショーケースコントローラ２０は、電磁弁１４の状態を維持して今回の処理を収容し、手順をリターンさせる。
【００４０】
以下、所定のサイクルタイムで電磁弁制御処理を繰り返し実施することにより、全てのオープンショーケース１１において収容庫１０の内部温度が目標温度範囲に維持されることになる。
【００４１】
図６および図７は、それぞれメインコントローラが実施する処理の内容を示すフローチャートであり、図６は、メインコントローラを構成する回転数調節手段が実施する圧縮機回転数設定処理の内容を示し、図７は、メインコントローラを構成する回転数補正手段が実施する圧縮機回転数補正処理の内容を示すものである。以下、これら図６および図７を参照しながら、冷却装置の動作についてさらに説明する。
【００４２】
図６に示す圧縮機回転数設定処理においてメインコントローラ３０の回転数調節手段３１は、各ショーケースコントローラ２０から電磁弁運転信号を与えられた場合に（ステップＳ２０１：ＹＥＳ）、電磁弁運転率演算部３１１を通じて電磁弁運転率を演算し（ステップＳ２０２）、その後圧力設定値演算部３１２を通じて圧縮機１６の吸入冷媒圧力に対する次の一定時間に係る圧力設定値を演算する（ステップＳ２０３）。
【００４３】
圧力設定値を演算した回転数調節手段３１は、圧力センサ１９より吸入冷媒の圧力が検出された場合に（ステップＳ２０４：ＹＥＳ）、回転数設定部３１３を通じて、圧力設定値と、吸入冷媒の圧力測定値との偏差に基づいて、圧縮機１６に対して次の一定時間、すなわち次の駆動時における回転数を設定して（ステップＳ２０５）、今回の処理を終了し手順をリターンさせる。
【００４４】
ところで、図には示していないが、回転数調節手段３１の回転数設定部３１３は、上記回転数の設定とは別個に、全ての電磁弁１４がオフとなった場合（閉成した場合）には圧縮機１６に対して駆動停止指令を出力する一方、少なくとも１つの電磁弁１４がオンとなった場合（開成した場合）には圧縮機１６に対して設定した回転数で駆動指令を出力する。このように回転数設定部３１３より駆動停止指令および駆動指令が与えられた圧縮機１６は、駆動停止および駆動を行う。ここで、回転数設定部３１３で設定された回転数や出力された各指令については、回転数補正手段３２に与えられる。
【００４５】
図７に示す圧縮機回転数補正処理においてメインコントローラ３０の回転数補正手段３２は、回転数調節手段３１より駆動指令および駆動停止指令を与えられた場合に（ステップＳ３０１）、圧縮機運転周期演算部３２１を通じて、圧縮機１６の運転周期（オン・オフ周期）を演算する（ステップＳ３０２）。
【００４６】
圧縮機１６の運転周期を演算した回転数補正手段３２は、状態判定部３２２を通じて、圧縮機１６の運転周期と、情報記憶部３２３に記憶されている基準周期とを比較して、運転周期が基準周期を下回っているか否かを判定する（ステップＳ３０３）。ここで、運転周期が基準周期を下回っている場合には（ステップＳ３０３：ＹＥＳ）、圧縮機１６の冷凍能力に対する収容庫１０の負荷が小さいものと判断し、回転数補正手段３２は、回転数補正処理部３２４を通じて、情報記憶部３２３に記憶されている補正情報に基づき、上記回転数設定部３１３で設定された回転数を補正する（ステップＳ３０４）。より詳細には、回転数設定部３１３で設定された圧縮機１６の次のサイクルにおける運転周波数上限値を前のサイクルの運転周波数上限値よりも小さい値を上限値として補正する。例えば、回転数設定部３１３で設定された回転数が８０Ｈｚであった場合には、上限値を５０Ｈｚに補正する。そして、このように補正に関する情報が回転数調節手段３１に与えられる。上記ステップＳ３０４の処理をした後今回の処理を終了して手順をリターンさせる。
【００４７】
上記ステップＳ３０３において運転周期が基準周期を下回っていない場合には（ステップＳ３０３：ＮＯ）、上記補正処理を行わずに今回の処理を終了して手順をリターンさせる。
【００４８】
このように本実施の形態１の冷却装置によれば、圧縮機１６の冷凍能力に対する収容庫１０の負荷が小さいものと判断した場合に、回転数設定部３１３で設定された圧縮機１６の次のサイクルにおける運転周波数上限値を前のサイクルの運転周波数上限値よりも小さい値を上限値として補正するので、次の駆動時、特に起動時のような過渡状態において圧縮機１６の回転数が必要以上に過大となることを抑制でき、さらに通常運転時における圧縮機の運転周波数を必要以上に過大となることを抑制でき、その結果、省エネルギー化を図ることができる。
【００４９】
＜実施の形態２＞
図８は、本発明の実施の形態２である冷却装置の構成を概念的に示した概念図であり、図９は、本発明の実施の形態２における冷却装置の制御系を示すブロック図である。尚、上述した実施の形態１と同一の構成を有するものには同一の符号を付してその説明を省略する。
【００５０】
ここで例示する冷却装置は、収容庫１０の内部に収納した商品を冷却した状態で陳列販売するオープンショーケース１１に適用するもので、複数のオープンショーケース１１にそれぞれ蒸発器１２、温度膨張弁１３および電磁弁１４を個別に備える一方、オープンショーケース１１の外部に冷凍機を構成する凝縮器１５および圧縮機１６をそれぞれ１つずつ備えているとともに、ショーケースコントローラ２０およびメインコントローラ４０を備えている。つまり、本実施の形態２における冷却装置は、上述した実施の形態１における冷却装置と比してメインコントローラ４０が異なるだけである。また、複数のオープンショーケース１１が配設された店舗（室）１の内部には店内温湿度センサ２が設けられている一方、店舗１の外部には店外温湿度センサ３が設けられている。店内温湿度センサ２は、店内の温度および湿度を検出するものであり、店外温湿度センサ３は、店外の温度および湿度を検出するものである。
【００５１】
メインコントローラ４０は、冷却装置の動作を統括的に制御するものであり、特に冷凍機（圧縮機１６）の動作を制御するものである。このようなメインコントローラ４０は、本発明に特に関連するものとして、回転数調節手段３１と回転数補正手段４２とを備えている。これら回転数調節手段３１と回転数補正手段４２とは相互に通信可能なものである。
【００５２】
回転数補正手段４２は、圧縮機１６の回転数（運転周波数）を補正するためのものであり、エンタルピ演算部４２１、比較部４２２、情報記憶部４２３および回転数補正処理部４２４を備えて構成してある。
【００５３】
エンタルピ演算部４２１は、店内温湿度センサ２および店外温湿度センサ３のそれぞれから与えられる温度および湿度の各データから店内エンタルピおよび店外エンタルピをそれぞれ演算するものである。
【００５４】
比較部４２２は、エンタルピ演算部４２１を通じて演算された店内エンタルピおよび店外エンタルピと、情報記憶部４２３に記憶されている基準情報とを比較するものである。かかる比較の結果、店内エンタルピおよび店外エンタルピが基準情報に含まれている場合には、圧縮機１６の冷凍能力に対する収容庫１０の負荷が小さいと判断するようにしてある。
【００５５】
情報記憶部４２３は、種々の情報を記憶するためのものであり、図１０に示すような上記比較部４２２の判定基準となる基準情報を記憶するものである。かかる基準情報では、店内エンタルピおよび店外エンタルピのそれぞれに関連づけられて回転数（運転周波数［Ｈｚ］）の上限値が設定されている。
【００５６】
回転数補正処理部４２４は、比較部４２２を通じて基準情報に演算された店内エンタルピおよび店外エンタルピが含まれているものと判定された場合に、上記回転数設定部３１３で設定された回転数を基準情報に含まれる上限値に補正するものである。より詳細には、回転数設定部３１３で設定された圧縮機１６の次のサイクルにおける運転周波数上限値を前のサイクルの運転周波数上限値よりも小さい値を上限値として補正するものである。補正された回転数に関する情報は、回転数調節手段３１に与えられる。この場合、回転数設定部３１３は、当該回転数補正処理部４２４により補正された回転数で次の駆動時に圧縮機１６に駆動指令を出力することになる。
【００５７】
図１１は、メインコントローラを構成する回転数補正手段４２が実施する圧縮機回転数補正処理の内容を示すフローチャートである。以下、かかる図１１を参照しながら、冷却装置の動作について説明する。尚、本実施の形態２における冷却装置が、上述した実施の形態１におけるショーケースコントローラ２０および回転数調節手段３１が実施する電磁弁制御処理（図５参照）および圧縮機回転数設定処理（図６参照）を行うことについての説明は割愛する。
【００５８】
図１１に示す圧縮機回転数補正処理においてメインコントローラ４０の回転数補正手段４２は、店内温湿度センサ２および店外温湿度センサ３を通じて、店内温度および湿度、並びに店外温度および湿度を検出し（ステップＳ４０１）、エンタルピ演算部４２１を通じて店内エンタルピおよび店外エンタルピをそれぞれ演算する（ステップＳ４０２）。
【００５９】
店内エンタルピおよび店外エンタルピを演算した回転数補正手段４２は、比較部４２２を通じて、店内エンタルピおよび店外エンタルピと、情報記憶部４２３に記憶されている基準情報とを比較する（ステップＳ４０３）。かかる比較の結果、店内エンタルピおよび店外エンタルピが基準情報に含まれている場合には、圧縮機１６の冷凍能力に対する収容庫１０の負荷が小さいと判断する一方（ステップＳ４０４：ＹＥＳ）、店内エンタルピおよび店外エンタルピの少なくとも一方が基準情報に含まれていない場合には、圧縮機１６冷凍能力に対する収容庫１０の負荷が小さいものではないと判断して（ステップＳ４０４：ＮＯ）、後述する処理を実施することなく今回の処理を終了して手順をリターンさせる。
【００６０】
上記ステップＳ４０４において圧縮機１６の冷凍能力に対する収容庫１０の負荷が小さいと判断した場合には、回転数補正手段４２は、回転数補正処理部４２４を通じて、上記回転数設定部３１３で設定された回転数を基準情報に含まれる上限値に補正する（ステップＳ４０５）。より詳細には、回転数設定部３１３で設定された圧縮機１６の次のサイクルにおける運転周波数上限値を前のサイクルの運転周波数上限値よりも小さい値を上限値として補正する。例えば、回転数設定部３１３で設定された回転数が８０Ｈｚであり、かつ店内エンタルピが３５ｋＪｋｇ［ＤＡ］で、店外エンタルピが３２ｋＪｋｇ［ＤＡ］である場合には、当該基準情報に従いこれらに関連づけられた設定された５０Ｈｚを上限値として補正する。そして、このように補正に関する情報が回転数調節手段３１に与えられる。上記ステップＳ４０５の処理をした後今回の処理を終了して手順をリターンさせる。
【００６１】
このように本実施の形態２の冷却装置によれば、圧縮機１６の冷凍能力に対する収容庫１０の負荷が小さいものと判断した場合に、回転数設定部３１３で設定された圧縮機１６の次の駆動時サイクルにおける運転周波数上限値を前のサイクルの運転周波数上限値よりも小さい値を上限値として補正するので、次の駆動時、特に起動時のような過渡状態において圧縮機１６の回転数が必要以上に過大となることを抑制でき、さらに通常運転時における圧縮機の運転周波数を必要以上に過大となることを抑制でき、その結果、省エネルギー化を図ることができる。
【００６２】
以上、本発明の好適な実施の形態について説明したが、本発明はこれらに限定されずに種々の変更を行うことができる。
【００６３】
上述した実施の形態２では、店内エンタルピおよび店外エンタルピを演算して圧縮機１６の冷凍能力に対する収容庫１０の負荷が小さいものと判断していたが、本発明では、店内エンタルピおよび店外エンタルピの少なくとも一方を演算して判断しても構わない。また、エンタルピを演算することは必ずしも必須ではなく、店内温度および店外温度の少なくとも一方を演算して圧縮機１６の冷凍能力に対する収容庫１０の負荷が小さいものと判断しても構わない。さらに、高温高圧の液冷媒を断熱膨張して低温低圧の気液２相冷媒とする手段、また冷媒の流量を調節するための手段として温度膨張弁を例に説明したが、必ずしも温度膨張弁である必要はなく、温度膨張弁の代わりに電子膨張弁を用いても構わない。
【産業上の利用可能性】
【００６４】
以上のように、本発明に係る冷却装置は、オープンショーケースの収容庫の冷却に有用である。
【図面の簡単な説明】
【００６５】
【図１】本発明の実施の形態１である冷却装置の構成を概念的に示した概念図である。
【図２】本発明の実施の形態１における冷却装置の制御系を示すブロック図である。
【図３】本発明の実施の形態１における冷却装置の制御系を示すブロック図である。
【図４】圧力設定値の更新における圧力設定値／電磁弁運転率対応図である。
【図５】図１および図２に示したショーケースコントローラが実施する電磁弁制御処理の内容を示すフローチャートである。
【図６】メインコントローラを構成する回転数調節手段が実施する圧縮機回転数設定処理の内容を示すフローチャートである。
【図７】メインコントローラを構成する回転数補正手段が実施する圧縮回転数補正処理の内容を示すフローチャートである。
【図８】本発明の実施の形態２である冷却装置の構成を概念的に示した概念図である。
【図９】本発明の実施の形態２における冷却装置の制御系を示すブロック図である。
【図１０】情報記憶部に記憶される基準情報を示す図表である。
【図１１】メインコントローラを構成する回転数補正手段が実施する圧縮回転数補正処理の内容を示すフローチャートである。
【符号の説明】
【００６６】
１        店舗
２        店内温湿度センサ
３        店外温湿度センサ
１０      収容庫
１１      オープンショーケース
１２      蒸発器
１３      温度膨張弁
１４      電磁弁
１５      凝縮器
１６      圧縮機
１７      冷媒供給管路
１８      内部温度センサ
１９      圧力センサ
２０      ショーケースコントローラ
２１      目標値設定記憶部
２２      電磁弁駆動処理部
３０      メインコントローラ
３１      回転数調節手段
３１１    電磁弁運転率演算部
３１２    圧力設定値演算部
３１３    回転数設定部
３２      回転数補正手段
３２１    圧縮機運転周期演算部
３２２    状態判定部
３２３    情報記憶部
３２４    回転数補正処理部
４２      回転数補正手段
４２１    エンタルピ演算部
４２２    比較部
４２３    情報記憶部
４２４    回転数補正処理部
【図１】
2008185250.tif 000003
【図２】
2008185250.tif 000004
【図３】
2008185250.tif 000005
【図４】
2008185250.tif 000006
【図５】
2008185250.tif 000007
【図６】
2008185250.tif 000008
【図７】
2008185250.tif 000009
【図８】
2008185250.tif 000010
【図９】
2008185250.tif 000011
【図１０】
2008185250.tif 000012
【図１１】
2008185250.tif 000013